(57)【要約】【課題】  施工性が良く、意匠性の高い手摺を提供する。【解決手段】  支柱と、笠木を備え、笠木は、端部を４５度に形成してあり、二つの笠木の端部を突き合わせて９０度に配置して角部を形成し、支柱は、角部において、笠木の長手方向に対して４５度の角度で設けてある。【選択図】      図１
2018119271.tif 000002
【特許請求の範囲】
【請求項１】
支柱と、笠木を備え、笠木は、端部を４５度に形成してあり、二つの笠木の端部を突き合わせて９０度に配置して角部を形成し、支柱は、角部において、笠木の長手方向に対して４５度の角度で設けてあることを特徴とする手摺。
【発明の詳細な説明】
【技術分野】
【０００１】
本発明は、角部を有する手摺に関する。
【背景技術】
【０００２】
従来、コンクリート等の硬い基礎の上に設置される手摺は、コア抜きと呼ばれる作業によって形成された取付穴に支柱が挿入される。
このような手摺が角部を有する場合、角部に設けるコーナー支柱には直線部に設ける支柱よりも大きな寸法の支柱が用いられていたため、角部には直線部よりも大きな径の取付穴を形成しなければならなった。
【先行技術文献】
【非特許文献】
【０００３】
【非特許文献１】「エクステリア総合カタログ  ２０１６−２０１７（ＳＴＸ１０１３Ａ）」三協立山株式会社、２０１６年３月、ｐ．７３７
【発明の概要】
【発明が解決しようとする課題】
【０００４】
本発明は上記実情に鑑み、施工性が良く、意匠性の高い構造体を提供することを目的とする。
【課題を解決するための手段】
【０００５】
本発明は、支柱と、笠木を備え、笠木は、端部を４５度に形成してあり、二つの笠木の端部を突き合わせて９０度に配置して角部を形成し、支柱は、角部において、笠木の長手方向に対して４５度の角度で設けてあることを特徴とする。
【発明の効果】
【０００６】
本発明によれば、笠木は、端部を４５度に形成してあり、二つの笠木の端部を突き合わせて９０度に配置して角部を形成し、支柱は、角部において、笠木の長手方向に対して４５度の角度で設けてあるため、角部には直線部と同じ大きさの取付穴を設ければよく、施工性が良い。また、角部と直線部の支柱を統一できるため、意匠性が高い。
【図面の簡単な説明】
【０００７】
【図１】手摺の角部の平面図である。
【図２】手摺の側面図であり、図１のＡ−Ａ線断面図である。
【図３】手摺の支柱と固定具の位置を示す角部の平面図である。
【図４】（ａ）は直線部固定具の平面図、（ｂ）は直線部固定具の側面図、（ｃ）はコーナー固定具の平面図、（ｄ）はコーナー固定具の側面図である。
【図５】コーナーキャップを示す図であり、（ａ）は平面図、（ｂ）は側面図、（ｃ）は角部に取り付けた状態を示す平面図である。
【図６】角部の分解斜視図である。
【発明を実施するための形態】
【０００８】
以下、本発明の実施の形態を図面に基づいて説明する。本発明に係る手摺は、図１に示すように、直線部１０と、略９０度の角部２０を有するものであって、図２に示すように、支柱１，２１が間隔をあけて複数立設してあり、支柱１，２１の上端には、固定具２，２２を介して笠木３が架設してある。
【０００９】
支柱１，２１には、手摺の直線部１０に立設される支柱１と、手摺の角部２０に立設されるコーナー支柱２１がある。支柱１とコーナー支柱２１は、基礎８に設けた取付穴４に下端が挿入され、上端には支柱キャップ９が取り付けられる。直線部１０の支柱１と、角部２０のコーナー支柱２１は、同一形状の中空材であり、横断面の外形は長方形である。直線部１０に立設される支柱１は、対向する二つの短辺が笠木３の長手方向と平行になるよう取付穴４に固定されるが、角部２０に立設されるコーナー支柱２１は、笠木３の長手方向に対して４５度の角度をなすよう固定される。支柱１とコーナー支柱２１と笠木３の位置関係について、より詳しく説明すると、図１における一点鎖線で示すように、支柱１及びコーナー支柱２１の中心Ｃは、笠木３の見込方向の中心線Ｌと同一線上にある。
【００１０】
基礎８に設ける取付穴４は円筒状であり、直径は支柱１及びコーナー支柱２１の寸法よりも大きい。図１及び図２に示すように、直線部１０の支柱１と角部２０のコーナー支柱２１は、同じ大きさの取付穴４に夫々挿入することができる。
【００１１】
笠木３は、支柱キャップ９の上部に取り付けられた固定具２，２２を介して支柱１，２１に固定される。笠木３は、図２及び図６に示すように、縦断面の外形が下向きの略Ｃ字形状をなす中空材であり、上面は上に凸の緩やかな円弧状に形成されている。支柱１，２１が連結される下面中央部には、長手方向に亘って、固定具２，２２を取付けるための固定具取付溝３ａと、固定具取付溝３ａの上部には裏板６を挿入するための裏板取付溝３ｂが形成されている。また、図５（ｃ）及び図６に示すように、手摺の角部２０を構成する笠木３は、一端部が長手方向に対して略４５度に形成された傾斜面３ｃを備える。そのように形成された二つの笠木３，３の端部が、後述するコーナーキャップ５を介して、傾斜面３ｃどうしが突き合わさるように配置されて、略９０度の角部２０を形成する。
【００１２】
固定具２，２２は、支柱キャップ９の上部に取り付けられて、支柱１，２１と笠木３とを連結するものであり、手摺の直線部１０に用いられる直線部固定具２と、手摺の角部２０に用いられるコーナー固定具２２がある。
直線部固定具２は、図４（ａ）（ｂ）に示すように、平面視長方形の平板状の金属部材であって、短手方向の幅は笠木３の固定具取付溝３ａの内寸に略等しく、支柱１の上端に取り付けた支柱キャップ９へネジ止めするためのネジ穴２ａと、笠木３に挿入した裏板６へネジ止めするためのネジ穴２ｂが設けてある。直線部固定具２は、図３に示すように、長手方向が笠木３の長手方向に対して平行になるよう、支柱キャップ９へ取り付けられる。
コーナー固定具２２は、図４（ｃ）（ｄ）に示すように、コーナー支柱２１へ取り付けられる支柱固定部２３ａと、笠木３へ取り付けられる二つの笠木固定部２３ｂ，２３ｂとからなる平面視Ｌ字形の平板状の金属部材である。支柱固定部２３ａから延出する二つの笠木固定部２３ｂ，２３ｂは、夫々の長手方向によって９０度の角度をなし、短手方向の幅は笠木３の固定具取付溝３ａの内寸に略等しい。支柱固定部２３ａには、コーナー支柱２１の上端に取り付けた支柱キャップ９へネジ止めするためのネジ穴２２ａが設けてあり、笠木固定部２３ｂ，２３ｂには笠木３に挿入した裏板６へネジ止めするためのネジ穴２２ｂが設けてある。コーナー固定具２２は、図３に示すように、角部２０の角度に合わせて配置され、図６に示すように、コーナー支柱２１の支柱キャップ９へ取り付けられる。コーナー固定具２２の上面に傾斜面３ｃを備える二つの笠木３，３がネジ止めされることにより、コーナー固定具２２は二つの笠木３，３とコーナー支柱２１とを連結する。
【００１３】
手摺の角部２０において、突き合わせるように配置された二つの笠木３，３の傾斜面３ｃ，３ｃは、コーナーキャップ５によって覆われている。コーナーキャップ５は、図１及び図５（ａ）（ｃ）に示すように、平面視矢羽根形状であり、二つの笠木３，３の傾斜面３ｃ，３ｃを覆う被覆部５１と、傾斜面３ｃ，３ｃに挟持される壁部５２とからなる。
被覆部５１は、図５（ｂ）に示すように、側面視すると下向きに開口する略Ｃ字形状であって、その下面の開口部５１ａには、支柱キャップ９が嵌め込まれる。また、被覆部５１の内寸は、笠木３が丁度納まるほどの大きさである。
壁部５２は、傾斜面３ｃの角度に沿って、被覆部５１の内周側中央部に設けてある。図５（ｂ）及び図６に示すように、側面視すると被覆部５１の内周よりも一回り小さい環状であって、壁部５２の下面には、コーナー固定具２２を取付けるための固定具取付溝５２ａが設けてある。
【００１４】
次に、本手摺の施工手順を説明する。まず、コア抜きと呼ばれる作業によって基礎８に取付穴４を形成し、取付穴４に支柱１，２１を立設する。次に、支柱１，２１の上端に取り付けられた支柱キャップ９に固定具２，２２をネジ止めする。
直線部１０の支柱１には、上端に直線部固定具２を配置し、直線部固定具２のネジ穴２ａから下方へ向かってネジ止めして取付ける。笠木３には、裏板取付溝３ｂへ裏板６を挿入しておく。そして、直線部固定具２を固定具取付溝３ａに嵌合させて笠木３を直線部固定具２の上部に配置し、裏板６を直線部固定具２の位置に合わせ、直線部固定具２を裏板６とともにネジ止めすることにより、支柱１と笠木３を連結する。
角部２０は、図６に示すように、コーナー支柱２１の上端にコーナー固定具２２を配置し、コーナー固定具２２のネジ穴２２ａから下方へ向かってネジ止めする。次に、コーナーキャップ５の開口部５１ａに支柱キャップ９を嵌め込むとともに固定具取付溝５２ａにコーナー固定具２２を嵌合させて、コーナーキャップ５をコーナー固定具２２の上部に配置する。端部を４５度に形成した二つの笠木３，３には、裏板取付溝３ｂへ裏板６を夫々挿入しておく。そして、コーナー固定具２２を笠木３の固定具取付溝３ａに嵌め、笠木３をコーナーキャップ５へ向けてスライドさせ、コーナーキャップ５内へ二つの笠木３，３の端部を挿入する。裏板６，６をコーナー固定具２２の位置に合わせ、コーナー固定具２２を裏板６，６とともにネジ止めすることにより、コーナー支柱２１と二つの笠木３，３を連結する。
なお、固定具２，２２及び裏板６が取り付けられていない部分の笠木３の取付溝３ａ，３ｂには、図示しない目板を嵌め込むことができる。
【００１５】
このように構成した手摺によれば、笠木３は、端部を４５度に形成してあり、二つの笠木３，３の端部を突き合わせて９０度に配置して角部２０を形成し、角部２０のコーナー支柱２１は、笠木３の長手方向に対して４５度の角度で設けてあるので、角部２０には直線部１０と同じ大きさの取付穴４を設ければよく、施工性が良い。このような構成であれば、角部２０と直線部１０の支柱１，２１の形状を統一できるため、意匠性が高い。
また、支柱１及びコーナー支柱２１の中心Ｃを、笠木３の見込方向の中心線Ｌと同一線状にすることで、意匠性をより高めることができる。
コーナー固定具２２は、角部２０において、端部を４５度に形成した二つの笠木３，３を連結するとともに、二つの笠木３，３コーナー支柱２１へ固定するため、部品点数が少なく、施工性が良い。
さらに、コーナーキャップ５は、端部を突き合わせるように配置された二つの笠木３，３の傾斜面３ｃ，３ｃを覆うため、意匠性が良く、安全性が高い。
【００１６】
本発明は、上記の実施形態に限定されない。例えば、上記実施形態例における手摺は１つの角部を有するため、これを構成する笠木として、一端部を略４５度に形成したものが二つ用いられているが、２つ以上の角部を有する手摺においては、これを構成する笠木として、両端部を略４５度に形成したものを用いてもよい。
【符号の説明】
【００１７】
１    支柱
２    直線部固定具
３    笠木
１０    直線部
２０    角部
２１    コーナー支柱
２２    コーナー固定具
【図１】
2018119271.tif 000003
【図２】
2018119271.tif 000004
【図３】
2018119271.tif 000005
【図４】
2018119271.tif 000006
【図５】
2018119271.tif 000007
【図６】
2018119271.tif 000008